(57)【特許請求の範囲】
【請求項１】
番手が多くなるほどヘッドのロフト角が大きくなる複数本のアイアンゴルフクラブよりなるアイアンセットであって、
該ヘッドのソール面は、前部側のフロントソール面と、該フロントソール面に引き続いており、バンス角θ２が該フロントソール面のバンス角θ１よりも小さいリアソール面とを有し、
該リアソール面のフェース前後方向の幅Ｌ２が該フロントソール面のフェース前後方向の幅Ｌ１以上であるアイアンセットにおいて、
いずれのクラブにおいても該幅Ｌ１が５〜１２ｍｍであり、ｎ番手のクラブのフロントソール面のバンス角θ１は、（ｎ−１）番手のクラブのフロントソール面のバンス角θ１以上であり、且つ（ｎ−２）番手のクラブのフロントソール面のバンス角θ１よりも大きいものとなっており、
且つ３番アイアンのフロントソール面のバンス角θ１が５〜８゜であり、６番アイアンのフロントソール面のバンス角θ１が６〜９゜であり、９番アイアンのフロントソール面のバンス角θ１が８〜１０゜であることを特徴とするアイアンセット。
【請求項２】
請求項１において、ｎ番手のクラブのリアソール面のバンス角θ２は、（ｎ−１）番手のクラブのリアソール面のバンス角θ２以上であり、且つ（ｎ−２）番手のクラブのリアソール面のバンス角θ２よりも大きいことを特徴とするアイアンセット。
【請求項３】
請求項１又は２において、３番アイアンのリアソール面のバンス角θ２が２〜４゜であり、６番アイアンのリアソール面のバンス角θ２が２〜５゜であり、９番アイアンのリアソール面のバンス角θ２が４〜７゜であることを特徴とするアイアンセット。
【発明の詳細な説明】
【技術分野】
【０００１】
本発明は、番手の異なる複数本のアイアン（アイアンゴルフクラブ）よりなるアイアンセットに関するものであり、特に各アイアンのソール面がバンス角の比較的大きいフロントソール面とバンス角の比較的小さいリアソール面とを有し、且つリアソール面のフェース前後方向の幅がフロントソール面のフェース前後方向の幅以上であるアイアンセットに関する。
【背景技術】
【０００２】
アイアンのソール面が、バンス角の比較的大きいフロントソール面と、バンス角の比較的小さいリアソール面とを有し、且つリアソール面のフェース前後方向の幅がフロントソール面のフェース前後方向の幅以上であるアイアンセットが特開平８−２５７１７９号公報に記載されている。同号公報の図３及び表１には、１〜３番アイアンはフロントソール面のバンス角が２０゜、幅が３．１ｍｍ（０．１２３インチ）であり、４〜７番アイアンのフロントソール面のバンス角が２５゜、幅が３．９ｍｍ（０．１５４インチ）であり、８，９番アイアンのフロントソール面のバンス角が３０゜、幅が３．９ｍｍであること、１〜８番アイアンのリアソール面の幅が１２．４ｍｍ（０．４８７インチ）であること等が記載されている。
【特許文献１】特開平８−２５７１７９号公報
【発明の開示】
【発明が解決しようとする課題】
【０００３】
上記特開平８−２５７１７９号公報のアイアンは、ボールを打つ際に地面を掘らないようにすることを企図したものである。
【０００４】
本発明は、番手の小さいアイアンから番手の大きいアイアンまで、いずれもゴルフ場の芝面から受ける抵抗が小さく、スムーズに振り抜くことができ、あらゆるスイングタイプ、ヘッドスピードの人により適合することができるアイアンセットを提供することを目的とする。
【課題を解決するための手段】
【０００５】
請求項１のアイアンセットは、番手が多くなるほどヘッドのロフト角が大きくなる複数本のアイアンゴルフクラブよりなるアイアンセットであって、該ヘッドのソール面は、前部側のフロントソール面と、該フロントソール面に引き続いており、バンス角θ２が該フロントソール面のバンス角θ１よりも小さいリアソール面とを有し、該リアソール面のフェース前後方向の幅Ｌ２が該フロントソール面のフェース前後方向の幅Ｌ１以上であるアイアンセットにおいて、いずれのクラブにおいても該幅Ｌ１が５〜１２ｍｍであり、ｎ番手のクラブのフロントソール面のバンス角θ１は、（ｎ−１）番手のクラブのフロントソール面のバンス角θ１以上であり、且つ（ｎ−２）番手のクラブのフロントソール面のバンス角θ１よりも大きいものとなっており、且つ３番アイアンのフロントソール面のバンス角θ１が５〜８゜であり、６番アイアンのフロントソール面のバンス角θ１が６〜９゜であり、９番アイアンのフロントソール面のバンス角θ１が８〜１０゜であることを特徴とするものである。
【０００６】
請求項２のアイアンセットは、請求項１において、ｎ番手のクラブのリアソール面のバンス角θ２は、（ｎ−１）番手のクラブのリアソール面のバンス角θ２以上であり、且つ（ｎ−２）番手のクラブのリアソール面のバンス角θ２よりも大きいことを特徴とするものである。
【０００７】
請求項３のアイアンセットは、請求項１又は２において、３番アイアンのリアソール面のバンス角θ２が２〜４゜であり、６番アイアンのリアソール面のバンス角θ２が２〜５゜であり、９番アイアンのリアソール面のバンス角θ２が４〜７゜であることを特徴とするものである。
【発明の効果】
【０００８】
本発明のアイアンセットでは、番手が大きくなるほど、ほぼ連続的にフロントソール面のバンス角を大きくしている。即ち、１番手異なるクラブのフロントソール面はバンス角が同一であるか又は高番手のクラブほどバンス角が大きい。また、２番手異なると、フロントソール面のバンス角は高番手のクラブの方が必ず大きい。このようにフロントソール面のバンス角が高番手ほどほぼ必ず大きくなるように設定することにより、各番手で同じような振り抜きフィーリング（振り抜き感）を得ることができる。
【０００９】
フロントソール面だけでなくリアソール面についても、高番手のクラブほどバンス角をほぼ大きくなるようにする（即ち、１番手異なるものは、リアソール面のバンス角が同一であってもよいが２番手異なると必ず高番手のバンス角の方が大きい）ことにより、振り抜き感が各番手で似通ったものとなる。
【発明を実施するための最良の形態】
【００１０】
以下、図面を参照して実施の形態について説明する。第１図は実施の形態に係るアイアンセットのアイアンヘッドの一例を示すフェース面と直交方向の縦断面図である。このヘッド１の前面は、ボールを打つフェース面２であり、このフェース面２にはヘッドのトウ・ヒール方向に延在する平行な複数本の溝（スコアライン）が設けられている。なお、各スコアラインの長さは同一であり、各スコアラインはその両端を揃えて設けられている。スコアラインの長手方向の中央がフェース面のトウ・ヒール方向の中央である。
【００１１】
第１図は、このトウ・ヒール方向の中央を通る縦断面であり、本発明では、フロントソール面及びリアソール面のバンス角及び幅はこのトウ・ヒール方向の中央を通る縦断面におけるバンス角及び幅をいうものとする。バンス角は、クラブを水平面に通常にソールした状態で測定される。通常にソールするとは、スコアラインが水平となっている状態であり；該スコアラインを含む鉛直面と平行で且つホゼルを通る鉛直面を想定し、この鉛直面内にクラブのシャフトが含まれる状態にソールすることをいう。
【００１２】
このヘッド１のソール面は、フェース面側のフロントソール面３と、該フロントソール面３に引き続くバック側のリアソール面４とからなる。
【００１３】
フロントソール面３のバンス角θ１、幅Ｌ１、リアソール面のバンス角θ２、幅Ｌ２をそれぞれ図中に示してある。
【００１４】
なお、第１図ではフロントソール面３及びリアソール面４はいずれも平面であり、両者の交叉部は明瞭な尖った凸角部５を形成しているが、この凸角部５は丸みをおびていてもよい。この場合は、フロントソール面３とリアソール面４とを延長した仮想的な平面が交叉する点をフロントソール面３とリアソール面４との交叉部として上記幅Ｌ１，Ｌ２を測定する。
【００１５】
Ｌ１は、凸角部５又は上記交叉部からフェース面２までの距離である。
【００１６】
フロントソール面３とフェース面との交叉部であるリーディングエッジは、丸みをおびていたり斜めの角落し状となっていてもよく、この場合にも、フロントソール面３の幅は凸角部５又は上記交叉部からフェース面２までの距離として測定される。
【００１７】
第１図ではリアソール面４とヘッド背面６とが交わるリアエッジ７も明瞭な凸角部を形成しており、Ｌ２はこのリアエッジから上記凸角部５又は上記交叉部までの距離として測定される。ただし、このリアエッジ７は丸みをおびたり斜めの角落し状となっていてもよい。この場合には、フェース面と平行で且つヘッド最後端を通る仮想的な面から上記凸角部５又は上記交叉部までの距離がＬ２となる。
【００１８】
本発明のアイアンセットは、例えば３番アイアンから１０番アイアン（ピッチングウェッジ）までを含んでもよく、４番又は５番アイアンから１０番アイアンまでを含んでもよく、６番アイアンから１０番アイアンまでを含んでもよい。もちろん、１１番あるいは（ピッチングサンドあるいはアプローチウェッジ等と通称される。）やサンドウェッジ（本発明では１２番アイアンとする。）さらにはロブウェッジ（同１３番アイアン）までを含んでもよい。また、２番アイアンや１番アイアンを含んでもよい。
【００１９】
本発明では、ｎ番アイアンのフロントソール面のバンス角θ１は、（ｎ−１）番アイアンのフロントソール面のバンス角θ１と等しいかそれよりも大であり、（ｎ−２）番アイアンのフロントソール面のバンス角θ１よりも大きい。また、好ましくは、ｎ番アイアンのリアソール面のバンス角θ２は、（ｎ−１）番アイアンのリアソール面のバンス角θ２と等しいか又はそれよりも大であり、（ｎ−２）番アイアンのリアソール面のバンス角θ２よりも大きい。
【００２０】
３番アイアンの場合、θ１は５〜８゜、θ２は２〜４゜であることが好ましい。６番アイアンの場合、θ１は６〜９゜であり、θ２は２〜５゜であることが好ましい。９番アイアンの場合、θ１は８〜１０゜、θ２は４〜７゜であることが好ましい。いずれのクラブにおいても、（θ１−θ２）は２〜７゜特に３〜６゜であることが好ましい。
【００２１】
本発明では、いずれのクラブにおいても、リアソール面の幅Ｌ２はフロントソール面の幅Ｌ１よりも大であり、好ましくはＬ２はＬ１の１〜２倍特に１〜１．５倍である。いずれのクラブでも、Ｌ１は５〜１２ｍｍである。３番アイアンの場合、Ｌ１は５〜９ｍｍ特に６〜８ｍｍが好ましい。６番アイアンの場合、Ｌ１は６〜１０ｍｍ特に７〜９ｍｍが好ましい。９番アイアンの場合、Ｌ１は８〜１２ｍｍ特に９〜１１ｍｍが好ましい。
【００２２】
好ましくは、ｎ番アイアンのＬ１は（ｎ−１）番アイアンのＬ１と同一以上であり、（ｎ−２）番アイアンのＬ１よりも大である。また、好ましくは、ｎ番アイアンのＬ２は、（ｎ−１）番アイアンのＬ２と同一以上であり、（ｎ−２）番アイアンのＬ２よりも大である。
【００２３】
本発明の特に好ましいＬ１，θ１，Ｌ２，θ２の一例を表１に示す。
【００２４】
【表１】
0004779643.tif 000002
【００２５】
アイアンの素材はスチール、軟鉄、純鉄などの鉄又は鉄基合金が好ましいが、フェース面をチタン合金や銅合金など異種素材としてもよい。
【実施例】
【００２６】
実施例１，２、比較例１〜８
３，６及び９番アイアンのＬ１，Ｌ２，θ１，θ２を表２の通りとした。アイアンヘッドを軟鉄で製造し、カーボンシャフトを装着してアイアンクラブとした。シャフト長さは３番３８．５インチ（約９７．８ｃｍ）、６番３７インチ（約９４ｃｍ）、９番３５．５インチ（約９０．２ｃｍ）である。
【００２７】
種々のスイングタイプの人のいずれにも合うソール形状を見つけるために、ヘッドスピード、スイング軌道が異なる４人の被験者を選んだ。
【００２８】
被験者Ａは、インパクト時のスイング軌道が鋭角でヘッドスピードが速いタイプの人である。
【００２９】
被験者Ｂは、インパクト時のスイング軌道が鈍角でヘッドスピードが速いタイプの人である。
【００３０】
被験者Ｃは、インパクト時のスイング軌道が鋭角でヘッドスピードが遅いタイプの人である。
【００３１】
被験者Ｄは、インパクト時のスイング軌道が鈍角でヘッドスピードが遅いタイプの人である。
【００３２】
スイング軌道が鋭角とは、インパクト直前にヘッドが比較的上方から入ること、即ちヘッドを打ち込むことをいい、鈍角とはヘッドが比較的地面に沿って入ること、即ち払い打ち状にヘッドが入ること（スインガータイプ）をいう。
【００３３】
図２に各被験者のスイング軌道のＸ−Ｙ座標を示す。図３〜６に各被験者のヘッドスピードをバンス角の異なるクラブ毎に示す。
【００３４】
各クラブを上記４人の被験者がゴルフ場のフェアウェー芝の上から試打し、振り抜き感を４段階評価した結果を表２に示す。
【００３５】
なお、比較例８でθ２がマイナスとなっているのは、ソール面が凸形状となっていることを示す。
【００３６】
【表２】
0004779643.tif 000003
【００３７】
表２の通り、本発明例のものはいずれの被験者にとっても振り抜き感が良好である。即ち、２段階にバンス角を変化させるアイアンゴルフクラブヘッドの方があらゆるスイングタイプ、ヘッドスピードの人に、より良く適合する。
【図面の簡単な説明】
【００３８】
【図１】実施の形態に係るヘッド断面図である。
【図２】被験者のヘッドの軌道図である。
【図３】被験者のヘッドスピード図である。
【図４】被験者のヘッドスピード図である。
【図５】被験者のヘッドスピード図である。
【図６】被験者のヘッドスピード図である。
【符号の説明】
【００３９】
１  ヘッド
２  フェース面
３  フロントソール面
４  リアソール面
【図１】
0004779643.tif 000004
【図２】
0004779643.tif 000005
【図３】
0004779643.tif 000006
【図４】
0004779643.tif 000007
【図５】
0004779643.tif 000008
【図６】
0004779643.tif 000009